(57)【特許請求の範囲】
【請求項１】
開口部を設けた天井材を、四角枠状に組んだ鋼製野縁の下面に取り付けた鋼製天井において、
前記鋼製野縁を、リップ片の間の溝が上方を向くリップみぞ形鋼により構成し、
前記開口部の開口寸法に設定した木製の補強野縁に枠止め部材を固定し、この枠止め部材に設けた嵌合部を、前記鋼製野縁の溝に、該鋼製野縁の側面側の上方から押し込むことで嵌合し、前記枠止め部材を前記鋼製部材に一体化することで、前記開口部の周縁を前記木製の補強野縁で補強することを特徴とする鋼製天井の開口部補強構造。
【請求項２】
前記枠止め部材は、前記木製の野縁の側面に当接し、且つ、下面を受ける受け部を備えていることを特徴とする請求項１記載の鋼製天井の開口部補強構造。
【請求項３】
前記枠止め部材は、金属製の板材を折り曲げて、板状の前記嵌合部、板状の前記受け部を形成していることを特徴とする請求項２記載の鋼製天井の開口部補強構造。
【発明の詳細な説明】
【０００１】
【発明の属する技術分野】
この発明は、開口部を設けた天井材を、四角枠状に組んだ鋼製野縁の下面に取り付けた鋼製天井において、開口部の周縁を補強するための鋼製天井の開口部補強構造に関する。
【０００２】
【背景の技術】
鋼製天井において空調機器などを天井に設置する場合には、通常、四角形状の開口部を設けた天井材を、四角枠状に組んだ鋼製野縁の下面に取り付けている。
【０００３】
その際、開口部の内側に木製の補強野縁を廻した構造とし、開口部の周縁を補強する。
【０００４】
【発明が解決しようとする課題】
しかし、野縁が木製部材であれば、釘打ち等の締結手段で野縁と木製の補強野縁とを連結し、簡単に補強の施工を行うことができるが、上述したように鋼製野縁を使用すると、木製の補強野縁と鋼製野縁を簡単に連結することが難しい。
【０００５】
よって、本発明は、上記課題に鑑みてなされたものであり、その目的は、開口部を補強する木製の補強野縁と鋼製野縁との連結作業を簡単に行うことができて補強の施工作業を効率良く行うことができる鋼製天井の開口部補強構造を提供することにある。
【０００６】
【課題を解決するための手段】
上記問題を解決するために、本発明の鋼製天井の開口部補強構造は、開口部を設けた天井材を、四角枠状に組んだ鋼製野縁の下面に取り付けた鋼製天井において、前記鋼製野縁を、リップ片の間の溝が上方を向くリップみぞ形鋼により構成し、前記開口部の開口寸法に設定した木製の補強野縁に枠止め部材を固定し、この枠止め部材に設けた嵌合部を、前記鋼製野縁の溝に、該鋼製野縁の側面側の上方から押し込むことで嵌合し、前記枠止め部材を前記鋼製部材に一体化することで、前記開口部の周縁を前記木製の補強野縁で補強するようにした。
【０００７】
この発明によると、木製の補強野縁に枠止め部材を固定し、これら枠止め部材を鋼製野縁に一体化することで、開口部の周縁に木製の補強野縁を配置することができるので、開口部の周縁を確実に補強することができる。
【０００８】
また、前記鋼製野縁を、リップ片の間の溝が上方を向くリップみぞ形鋼により構成し、前記枠止め部材は、嵌合部を前記鋼製野縁の溝に該鋼製野縁の側面側の上方から押し込むことで前記鋼製野縁に一体化するようにしたので、鋼製野縁は、軽量化を図りながらスパンが長くでも撓まない部材となり、枠止め部材を介して木製の補強野縁を確実に支持することができる。
【００１０】
そして、補強野縁に一体化した枠止め部材の各嵌合部を、鋼製野縁のリップ間の溝に上方から押し込んで嵌め込むだけで、開口部の周縁への木製の補強野縁の配置が完了するので、補強の施工の効率化を図ることができる。
【００１１】
また、前記枠止め部材を、前記木製の野縁の側面に当接し、且つ、下面を受ける受け部を備えているようにしてもよい。このようにすると、簡単な構造の枠止め部材で、木製の野縁を確実に支持することができる。
【００１２】
さらに、前記枠止め部材を、金属製の板材を折り曲げて、板状の前記嵌合部、板状の前記受け部を形成するようにしてもよい。
【００１３】
このようにすると、軽量で低コストの枠止め部材を提供することができる。
【００１４】
【発明の実施の形態】
以下、図面を参照して本発明に係る鋼製天井の開口部補強構造について説明する。
【００１５】
図１は、鋼製天井を天井裏から示した図である。この鋼製天井は、天井上部に組んだ鋼製野縁６が、開口部２を設けた天井材４を支持している。
【００１６】
鋼製野縁６は、壁８に取り付けた壁際野縁１０にランナー１２を介して水平に取り付けられており、開口部２を囲むように矩形枠状に組んだ鋼製野縁６Ａを備えている。
【００１７】
図２は、矩形枠状に組んだ鋼製野縁６Ａと、開口部２の補強構造を示す図であ。
【００１８】
矩形枠状に組んだ鋼製野縁６Ａは、リップ片６ａ、６ｂの間の溝６ｃが上方向を向いているリップみぞ形鋼により構成されている。
【００１９】
また、開口部２の矩形状の周縁は、複数の木製の補強野縁１４で補強されており、これら木製の補強野縁１４は、複数の枠止め部材１６を介して矩形枠状に組んだ鋼製野縁６Ａに固定されている。
【００２０】
枠止め部材１６は、金属製の板材を折り曲げて形成した部材であり、板状の嵌合部１６ａと、板状の受け部１６ｂとを備えている。
【００２１】
嵌合部１６ａは、矩形枠状に組んだ鋼製野縁６Ａの溝６ｃに上方から嵌まり込むことが可能な板幅で形成されている。また、受け部１６ｂは、補強野縁１４の側面及び底面に当接する部材である。
【００２２】
また、枠止め部材１６は、受け部１６ｂを貫通して補強野縁１４の側面に打ち込んだねじ部材１８によって補強野縁１４に一体化されている。なお、図１に示すように、枠止め部材１６は、補強野縁１４の長手方向に等間隔ａをあけて一体化されている。
【００２３】
そして、補強野縁１４に一体化した複数の枠止め部材１６の各嵌合部１６ａを、矩形枠状に組んだ鋼製野縁６Ａの溝６ｃに上方から押し込んで嵌め込む。これにより、木製の補強野縁１４は、開口部２の周縁に沿って配置されて開口部２の補強部材となる。
【００２４】
このような鋼製天井の開口部補強構造によると、木製の補強野縁１４に複数の枠止め部材１６を固定し、これら枠止め部材１６を矩形枠状に組んだ鋼製野縁６Ａに一体化することで、開口部２の周縁に木製の補強野縁１４が配置されるので、開口部２の周縁を確実に補強することができる。
【００２５】
また、補強野縁１４に一体化した複数の枠止め部材１６の各嵌合部１６ａを、矩形枠状に組んだ鋼製野縁６Ａの溝６ｃに上方から押し込んで嵌め込むだけで、開口部２の周縁への木製の補強野縁１４の配置が完了するので、補強の施工の効率化を図ることができる。
【００２６】
また、矩形枠状に組んだ鋼製野縁６Ａは、リップ片６ａ、６ｂの間の溝６ｃが上方を向くリップみぞ形鋼で構成しているので、軽量化を図りながらスパンが長くでも撓まない部材となり、枠止め部材１６を介して木製の補強野縁１４を確実に支持することができる。
【００２７】
さらに、枠止め部材１６は、金属製の板材を折り曲げることにより嵌合部１６ａ、受け部１６ｂを形成しているので、軽量で低コストの部材を提供することができる。
【００２８】
【発明の効果】
以上説明したように、本発明によれば、開口部を補強する木製の補強野縁と鋼製野縁との連結作業を簡単に行うことができて補強の施工作業を効率良く行うことができる鋼製天井の開口部補強構造を提供することができる。
【図面の簡単な説明】
【図１】本発明に係る開口部を備えた鋼製天井を示す平面図である。
【図２】開口部の廻りの補強構造を示す斜視図である。
【符号の説明】
２    開口部
４    天井材
６    鋼製野縁
６Ａ  矩形枠状に組んだ鋼製野縁
６ａ、６ｂ  リップ片
６ｃ  溝
８    壁
１０  壁際野縁
１２  ランナー
１４  木製の補強野縁
１６  枠止め部材
１６ａ  嵌合部
１６ｂ  受け部
１８    ねじ部材
【図１】
0004216441.tif 000002
【図２】
0004216441.tif 000003